【手続補正書】
【提出日】令和2年11月12日(2020.11.12)
【手続補正１】
【補正対象書類名】特許請求の範囲
【補正対象項目名】全文
【補正方法】変更
【補正の内容】
【特許請求の範囲】
【請求項１】
外周面に複数種類の図柄が配列されている複数のリールと、
小役と特定ボーナスとを含む複数種類の役の当否を決定する内部抽選を行い、内部抽選で当選した役を当選状態に設定する内部抽選手段と、
前記複数のリールを遊技毎に回転させ、停止操作を契機として、内部抽選の結果に応じた態様で回転中のリールを停止させる制御を行うリール制御手段と、
前記複数のリールが停止した状態で、役毎に予め定められた入賞形態を示す図柄組合せが有効ライン上に表示されたことに基づいて役が入賞したと判定する入賞判定手段と、
前記小役の入賞に伴い遊技価値を払い出すための制御を行う払出制御手段と、
通常状態での遊技における内部抽選で当選した前記特定ボーナスが入賞したことに基づいて遊技状態を特定ボーナス状態へ移行させ、特定ボーナス状態では、前記小役の当選確率が通常状態と同一の役物非作動状態と、役物非作動状態より前記小役の当選確率が高い第１役物作動状態、第２役物作動状態、および第３役物作動状態との間で遊技状態を移行させ、特定ボーナス状態の終了に伴い遊技状態を通常状態へ復帰させる制御を行う遊技状態移行制御手段とを備えた遊技機であって、
前記第１役物作動状態および前記第２役物作動状態は、前記第３役物作動状態よりも有利な遊技状態であり、
前記内部抽選手段が、
前記役物非作動状態において、第１シフト役と第２シフト役と第３シフト役とを抽選対象として内部抽選を行い、第１シフト役が当選すると、当選した第１シフト役が入賞するまで当該第１シフト役の当選した状態を維持し、第２シフト役が当選すると、当選した第２シフト役が入賞するまで当該第２シフト役の当選した状態を維持し、第３シフト役が当選すると、当選した第３シフト役が入賞するまで当該第３シフト役の当選した状態を維持し、
前記第１役物作動状態において、第２シフト役を抽選対象とし、第３シフト役を抽選対象としない内部抽選を行い、第２シフト役が当選すると当該第２シフト役が入賞するまで当該第２シフト役の当選した状態を維持し、
前記第２役物作動状態において、第１シフト役を抽選対象とし、第３シフト役を抽選対象としない内部抽選を行い、第１シフト役が当選すると当該第１シフト役が入賞するまで当該第１シフト役の当選した状態を維持し、
前記遊技状態移行制御手段が、
前記役物非作動状態において、前記第１シフト役が入賞したことに基づいて前記第１役物作動状態へ移行させて当該第１役物作動状態の終了に基づいて前記役物非作動状態へ復帰させ、前記第２シフト役が入賞したことに基づいて前記第２役物作動状態へ移行させて当該第２役物作動状態の終了に基づいて前記役物非作動状態へ復帰させ、前記第３シフト役が入賞したことに基づいて前記第３役物作動状態へ移行させて当該第３役物作動状態の終了に基づいて前記役物非作動状態へ復帰させる制御を行い、
前記リール制御手段が、
前記役物非作動状態において、前記第１シフト役が当選している場合には当該第１シフト役を入賞可能とし、前記第２シフト役が当選している場合には当該第２シフト役を入賞可能とし、前記第３シフト役が当選している場合には当該第３シフト役を入賞可能とするように回転中のリールを停止させる制御を行い、
前記第１役物作動状態における内部抽選で当選した前記第２シフト役が当該第１役物作動状態において入賞しないように回転中のリールを停止させる制御を行い、
前記第２役物作動状態における内部抽選で当選した前記第１シフト役が当該第２役物作動状態において入賞しないように回転中のリールを停止させる制御を行い、
前記第１役物作動状態において当選した前記第２シフト役については、当該第１役物作動状態が終了して前記役物非作動状態に復帰しても当該第２シフト役の当選した状態が当該役物非作動状態に引き継がれ、
前記第２役物作動状態において当選した前記第１シフト役については、当該第２役物作動状態が終了して前記役物非作動状態に復帰しても当該第１シフト役の当選した状態が当該役物非作動状態に引き継がれることを特徴とする遊技機。
【請求項２】
請求項１において、
前記第１役物作動状態では、内部抽選の結果がハズレとなることはなく、前記第２シフト役が当選した後も前記第２シフト役以外の役が必ず当選し、
前記第２役物作動状態では、内部抽選の結果がハズレとなることはなく、前記第１シフト役が当選した後も前記第１シフト役以外の役が必ず当選し、
前記リール制御手段が、
前記第１シフト役と、前記第１シフト役以外の役とがともに当選している状態では、当該第１シフト役に優先して当該第１シフト役以外の役を入賞させるように回転中のリールを停止させて当該第１シフト役の入賞を回避し、
前記第２シフト役と、前記第２シフト役以外の役とがともに当選している状態では、当該第２シフト役に優先して当該第２シフト役以外の役を入賞させるように回転中のリールを停止させて当該第２シフト役の入賞を回避し、
前記第３シフト役と、前記第３シフト役以外の役とがともに当選している状態では、当該第３シフト役に優先して当該第３シフト役以外の役を入賞させるように回転中のリールを停止させて当該第３シフト役の入賞を回避することを特徴とする遊技機。
【請求項３】
請求項１または２において、
前記内部抽選手段が、
前記第１役物作動状態では、前記役物非作動状態よりも前記第２シフト役が高確率で当選し、前記第２役物作動状態では、前記役物非作動状態よりも前記第１シフト役が高確率で当選するように内部抽選を行うことを特徴とする遊技機。
【請求項４】
請求項１〜３のいずれかにおいて、
前記遊技状態移行制御手段が、
前記第１役物作動状態および前記第２役物作動状態を前記小役の入賞回数に基づいて終了させて前記役物非作動状態に復帰させる制御を行い、
前記内部抽選手段が、
前記第１役物作動状態および前記第２役物作動状態の少なくとも一方において、第１小役を含む第１当選態様を得る場合と、第１小役とは入賞に伴う遊技価値の払出数が異なる第２小役を含む第２当選態様を得る場合とが存在するように内部抽選を行い、
前記リール制御手段が、
内部抽選で前記第２当選態様を得た場合に、所定の手順で停止操作を行うことによって前記第２小役の入賞が回避されるように回転中のリールを停止させる制御を行い、
前記第１小役の入賞に伴う遊技価値の払出数が前記第２小役の入賞に伴う遊技価値の払出数よりも多くなっており、前記第１小役の入賞に伴う遊技価値の払出数と前記第２小役の入賞に伴う遊技価値の払出数との差が１回の遊技を行うために必要となる遊技価値の投入数よりも大きいことを特徴とする遊技機。
【請求項５】
請求項４において、
内部抽選で前記第２当選態様を得た場合に予告音を発生させる演出制御手段を含むことを特徴とする遊技機。
【請求項６】
請求項４において、
前記リール制御手段が、
内部抽選で前記第１当選態様を得た場合に、内部抽選で前記第２当選態様を得た遊技で前記第２小役の入賞を回避する場合と同じ手順で停止操作を行うことによって、前記第１小役の入賞が回避されるように回転中のリールを停止させる制御を行うことを特徴とする遊技機。
【請求項７】
請求項６において、
内部抽選で前記第１当選態様を得た場合には所定条件下で予告音を発生させ、前記第２当選態様を得た場合には必ず予告音を発生させる演出制御手段を含むことを特徴とする遊技機。